(57)【要約】【課題】  外観の多様性を増すことができる照明器具を提供する。【解決手段】  光源を収納する器具本体の前面を構成するカバー３において、窓部３１の周囲に、装飾用部材５が嵌合する装飾用凹部３２ｄを設けた。装飾用部材５は嵌合で取り付けられるから単純な平板形状でよく特に高度な加工を必要としないことにより、装飾用部材５の材料として加工の困難な材料も用いることができるから、外観の多様性を増すことができる。【選択図】図１
2007227245.tif 000002
【特許請求の範囲】
【請求項１】
光源が収納され光源の光を通過させる窓部が設けられた器具本体と、
器具本体の外面に取り付けられる平板形状の装飾用部材とを備え、
器具本体の外面において窓部の周囲には、装飾用部材が嵌合する装飾用凹部が設けられていることを特徴とする照明器具。
【請求項２】
装飾用凹部の底面には凹凸が設けられていることを特徴とする請求項１記載の照明器具。
【請求項３】
装飾用凹部の深さ寸法を、装飾用部材の厚さ寸法以上としたことを特徴とする請求項１又は請求項２記載の照明器具。
【発明の詳細な説明】
【技術分野】
【０００１】
本発明は、装飾のための部品である装飾用部材を備える照明器具に関するものである。
【背景技術】
【０００２】
従来から、装飾のための部品である装飾用部材を備える照明器具として、例えば図６に示すものが提供されている。この照明器具は、光源としての環状蛍光灯（図示せず）と、透光性を有する材料からなり環状蛍光灯を覆うセード６と、セード６の外周縁が嵌合する枠状の装飾用部材７とを備える。この種の照明器具では、装飾用部材７に用いた材料に応じて様々な外観を呈することができる。
【特許文献１】特開２００１−６８１２７号公報
【発明の開示】
【発明が解決しようとする課題】
【０００３】
しかし、上記従来の装飾用部材７は、セード６の外周縁を上下から挟む形で嵌合するものであるために、セード６の形状に合わせた複雑な形状となっていた。このため、例えば脆弱な木材など機械的強度の低い材料や加工の困難な材料を装飾用部材の材料として用いることができず、外観の多様性に乏しかった。
【０００４】
本発明は上記事由に鑑みて為されたものであり、その目的は、外観の多様性を増すことができる照明器具を提供することにある。
【課題を解決するための手段】
【０００５】
請求項１の発明は、光源が収納され光源の光を通過させる窓部が設けられた器具本体と、器具本体の外面に取り付けられる平板形状の装飾用部材とを備え、器具本体の外面において窓部の周囲には、装飾用部材が嵌合する装飾用凹部が設けられていることを特徴とする。
【０００６】
この発明によれば、装飾用部材が単純な平板形状でよく特に高度な加工を必要としないことにより、装飾用部材の材料として加工の困難な材料も用いることができるから、外観の多様性を増すことができる。
【０００７】
請求項２の発明は、請求項１の発明において、装飾用凹部の底面には凹凸が設けられていることを特徴とする。
【０００８】
この発明によれば、装飾用部材が取り付けられていないときに装飾用凹部の底面に凹凸による陰影が生じるから、装飾用部材が取り付けられていない状態での見栄えを良くすることができる。
【０００９】
請求項３の発明は、請求項１又は請求項２の発明において、装飾用凹部の深さ寸法を、装飾用部材の厚さ寸法以上としたことを特徴とする。
【００１０】
この発明によれば、装飾用凹部に収納されることで装飾用部材が保護されるために、装飾用凹部の深さ寸法を装飾用部材の厚さ寸法よりも小さくする場合に比べ、装飾用部材に要求される機械的強度が低下する。従って、装飾用部材の材料として機械的強度のより低い材料を用いることができるから、外観の多様性をさらに増すことができる。また、装飾用部材の厚さ寸法を小さくして製造コストを低減することができる。
【発明の効果】
【００１１】
本発明によれば、装飾用部材が装飾用凹部への嵌合によって取り付けられるので、装飾用部材が単純な平板形状でよく特に高度な加工を必要としないことにより、装飾用部材の材料として加工の困難な材料も用いることができるから、外観の多様性を増すことができる。
【発明を実施するための最良の形態】
【００１２】
以下、本発明を実施するための最良の形態について、図面を参照しながら説明する。
【００１３】
本実施形態は、図２（ａ）〜（ｄ）に示すように、例えばアクリル樹脂のような透光性を有する材料からなり光源としての蛍光灯Ｌａが収納される収納凹部２０が設けられたボディ２と、ボディ２に機械的に結合して収納凹部２０を閉塞するカバー３とからなる器具本体１を備える。ボディ２は乳白色であって蛍光灯Ｌａの光を拡散させる。以下、上下左右は図２（ａ）を基準とし、図２（ｃ）の上下方向を前後方向と呼ぶ。
【００１４】
詳しく説明すると、ボディ２は、上下の底面が長辺を前方へ向けた台形状であって前面が収納凹部２０として開放された角柱形状である。
【００１５】
また、図２（ｅ）に示すように、収納凹部２０の底面には、蛍光灯Ｌａが取り付けられるソケット４１、蛍光灯Ｌａを始動させるためのスタータ４２、蛍光灯Ｌａを安定点灯させるための安定器４３、蛍光灯Ｌａに供給される電力を制御する制御ユニット４４、上記各部に電力を供給する電線（図示せず）が接続される端子台４５、がそれぞれ取付板４０に実装されてなる回路ブロック４が、ねじ止め固定されている。また、収納凹部２０の底面と取付板４０とには、それぞれ端子台４５に接続される電線が挿通される電線挿通穴４０ａ，２０ａが前後に貫設されている。また、収納凹部２０の底面と取付板４０とには、それぞれ木ねじ（図示せず）が前後に挿通される２個のねじ挿通部４０ｂ，２０ｂが設けられており、器具本体１はねじ挿通部４０ｂ，２０ｂに挿通されて壁材等の造営材Ｗに螺合する木ねじ（図示せず）により後面を造営材Ｗに向けて造営材Ｗにねじ止め固定される。このとき、ボディ２の後面と造営材Ｗとの間にはパッキンＰが介装される。
【００１６】
取付板４０の上端には、ソケット支持部４０ｃが前方へ突設されており、ソケット４１はソケット支持部４０ｃに固定されている。また、取付板４０の下端には、センサ支持部４０ｄが前方へ突設されている。センサ支持部４０ｄには、焦電センサを用いた人感センサ４６が取り付けられており、制御ユニット４４は、人感センサ４６に人体が検知されているか否かに応じて蛍光灯Ｌａをオンオフさせたり、蛍光灯Ｌａの光出力を変化させたりする。ボディ２の下端部には、人感センサ４６の一部を下方に突出させるセンサ用窓穴２０ｃが上下に貫設されている。
【００１７】
カバー３は、透光性を有する材料からなり蛍光灯Ｌａの前側に位置する窓部３１と、不透明な材料からなり前方から見て窓部３１を囲む矩形枠状であってボディ２の前側に結合する枠部３２とを有する。窓部３１は乳白色であって蛍光灯Ｌａの光を拡散させる。このようなカバー３は、例えば、窓部３１を構成する部材と枠部３２を構成する部材とをそれぞれ合成樹脂成型品で形成し、これらの部材を互いに結合させることによって製造することができる。図３に示すように、枠部３２の後面には、ボディ２の前端に対応した寸法形状の環状凹部３２ａが設けられていて、環状凹部３２ａにボディ２の前端部が係入することにより、ボディ２に対するカバー３の上下左右への変位が禁止されている。また、枠部３２の上端部において環状凹部３２ａの上側の内面には係合凹部３２ｂが設けられている。ボディ２の上面の前端部には、係合凸部２１が上方へ突設されており、係合凸部２１が係合凹部３２ｂに係入することによってボディ２に対するカバー３の上端部の前後方向への変位が禁止されている。さらに、枠部３２の下端部には収納凹部２０の内側へ突出する突出部３２ｃが設けられ、ボディ２の下端に設けられたねじ挿通穴２０ｄに下方から挿通されて突出部３２ｃに螺合するねじＳにより、ボディ２に対するカバー３の下端部の前後方向への変位が禁止されている。以上により、カバー３はボディ２に対して固定されている。
【００１８】
さらに、図１（ａ）に示すように、カバー３において枠部３２の前面には、窓部３１を囲むように、それぞれ直方体形状に窪んだ４個の装飾用凹部３２ｄが設けられている。各装飾用凹部３２ｄには、図１（ｂ）に示すようにそれぞれ直方体形状の装飾用部材５が嵌合により取り付けられる。装飾用部材５の材料としては例えば木材や金属や陶器を用いることができ、用いた材料に応じて様々な外観を呈することができる。さらに、装飾用部材５の保持強度を向上するために、接着剤を用いて装飾用部材５をカバー３に接着してもよい。
【００１９】
また、窓部３１は、後面が開放された直方体形状であって、図４（ａ）（ｂ）に示すように枠部３２よりも前方へ突出しており、窓部３１の内面で反射された蛍光灯Ｌａの光が図４（ｂ）に矢印で示すように枠部３２の装飾用凹部３２ｄの底面に入射するようになっている。さらに、各装飾用凹部３２ｄの底面には、それぞれ、上下に長い細かな溝が左右に並べて多数設けられている。これにより、装飾用凹部３２ｄの底面に陰影が生じるから、装飾用凹部３２ｄの底面を粗面化しない場合に比べ、装飾用部材５が取り付けられていない状態における見栄えが良くなっている。
【００２０】
さらに、本実施形態では、装飾用凹部３２ｄの深さ寸法が装飾用部材５の厚さ寸法と略等しくなっており、図５（ａ）（ｂ）に示すように装飾用部材５の全体が装飾用凹部３２ｄに収納され、装飾用部材５の前面とカバー３の枠部３２の前面とが面一となっている。
【００２１】
上記構成によれば、装飾用部材５は嵌合や接着で器具本体１に取り付けられるから、装飾用部材５は単純な平板形状でよく、製造に当たって特に高度な加工が必要とされない。従って、装飾用部材５の材料として加工の困難な材料も用いることができるから、外観の多様性を増すことができる。
【００２２】
また、装飾用部材５の全体が装飾用凹部３２ｄに収納されることにより、装飾用部材５の上下左右の側面がカバー３の枠部３２により保護されるから、装飾用部材５が装飾用凹部３２ｄから突出する場合に比べ、装飾用部材５に要求される機械的強度が低くなる。従って、装飾用部材５の材料として機械的強度のより低い材料を用いることができるから外観の多様性をさらに増すことができる上に、装飾用部材５の厚さ寸法を小さくして製造コストを低減することができる。
【００２３】
さらに、装飾用部材５の前面とカバー３の枠部３２の前面とを面一としていることにより、装飾用部材５の前面をカバー３の枠部３２の前面に対して窪ませる場合に比べ、見栄えが良くなっている。
【図面の簡単な説明】
【００２４】
【図１】本発明の実施形態の要部を示す図であり、（ａ）は分解斜視図、（ｂ）は斜視図である。
【図２】同上を示す斜視図であり、（ａ）は正面図、（ｂ）は平面図、（ｃ）は下面図、（ｄ）は断面図、（ｅ）はカバーを取り外した状態を示す正面図である。
【図３】同上においてボディとカバーとを分離させた状態を示す断面図である。
【図４】同上のカバーの要部を示す図であり、（ａ）は斜視図、（ｂ）は（ａ）のＡ−Ａ断面図である。
【図５】同上の要部を示す図であり、（ａ）は斜視図、（ｂ）は（ａ）のＢ−Ｂ断面図である。
【図６】従来例の要部を示す断面図である。
【符号の説明】
【００２５】
１  器具本体
５  装飾用部材
３１  窓部
３２ｄ  装飾用凹部
Ｌａ  光源
【図１】
2007227245.tif 000003
【図２】
2007227245.tif 000004
【図３】
2007227245.tif 000005
【図４】
2007227245.tif 000006
【図５】
2007227245.tif 000007
【図６】
2007227245.tif 000008